(57)【要約】【課題】  レバータンブラー錠或いはロータリーディスクタンブラー錠の不正解錠に対する抵抗性を高め、安全性を向上させる。【解決手段】  市販されている鍵の複製用具が、偏平の細線を、鍵孔に挿入された細いパイプを通して、レバータンブラー錠の仕切板３とレバータンブラー１１の間の隙間に差し込み、レバータンブラーの解錠切欠９の角度位置を検知することにより鍵違いを得るので、少なくとも１個の仕切板３の、レバータンブラー１１の自由端部と重合する部分から外周縁にかけてを切欠く。【選択図】  図４
2005213943.tif 000002
【特許請求の範囲】
【請求項１】
内周面の母線に沿ってカム溝を形成した外筒と、この外筒に回転自在に嵌合し、中心軸線に沿って鍵孔を貫通させると共に、複数の仕切板を所定の間隔を保って列設した内筒と、この内筒の母線に沿って延在し、内筒の外周部において半径方向に移動可能に案内されると共に、上記カム溝と係合する外側縁が外方に突出する方向に付勢されたロッキングバーとを有し、上記仕切板の間の各スロットに、夫々全体の形状が略Ｃ字形で一端部を支軸に揺動自在に軸支され、鍵孔に挿入された合鍵の側端縁と干渉する方向に付勢されると共に、常態では内筒を軸線方向に貫通するバックアップピンに係止され、かつ自由端部外側端縁にロッキングバーの内側縁を受入れる解錠切欠を形成したレバータンブラーの複数を鍵孔に沿って設け、これらのタンブラー群の夫々が鍵孔に挿通された合鍵の対応する鍵溝と係合したとき、各レバータンブラーの解錠切欠がロッキングバーの内側縁と整合するようにしたものにおいて、少なくとも１個の仕切板の、レバータンブラーの自由端部と重合する部分から外周縁にかけてを切欠いたことを特徴とするシリンダ錠。
【請求項２】
内周面の母線に沿ってカム溝を形成した外筒と、この外筒に回転自在に嵌合し、中心軸線に沿って鍵孔を貫通させると共に、複数の仕切板を所定の間隔を保って列設した内筒と、この内筒の母線に沿って延在し、内筒の外周部において半径方向に移動可能に案内されると共に、上記カム溝と係合する外側縁が外方に突出する方向に付勢されたロッキングバーとを有し、上記仕切板の間の各スロットに、中央部に鍵孔を包囲し得る大きさの鍵挿通孔を形成した環状のロータリーディスクタンブラーを挿設し、その実体部の１ヵ所を、内筒を軸線方向に貫通する支軸に揺動可能に軸支すると共に、自由端部外側端縁に解錠切欠を形成し、一方、鍵挿通孔の開口端縁に、先端の移動軌跡が鍵孔に挿入された合鍵のブレードの平面部又は端縁部と干渉する係合突起を一体に突設し、各ロータリーディスクタンブラーをこの係合突起が合鍵に近接する方向に付勢すると共に、常態では内筒を軸線方向に貫通するバックアップピンに係止し、他方、これらのタンブラー群の係合突起の夫々が鍵孔に挿通された合鍵のブレードに形成された対応する窪みと係合したとき、各ロータリーディスクタンブラーの解錠切欠がロッキングバーの内側縁と整合するようにしたものにおいて、少なくとも１個の仕切板の、レバータンブラーの自由端部と重合する部分から外周縁にかけてを切欠いたことを特徴とするシリンダ錠。
【発明の詳細な説明】
【技術分野】
【０００１】
この発明は、シリンダ錠に係り、特に、不正解錠に対する抵抗性を高め、安全性を向上させたシリンダ錠に関する。
【背景技術】
【０００２】
シリンダ錠には種々の形式のものがあるが、その一つであるレバータンブラー錠は、図１及び図２に示すように、内周面の母線に沿ってカム溝１を形成した外筒２と、この外筒に回転自在に嵌合し、間隙を介して中心軸線方向に積層された複数の仕切板３、３を設けると共に、中心軸線に沿って鍵孔４を貫通させた内筒５と、この内筒５の母線に沿って延在し、内筒の外周部において半径方向に移動可能に案内されると共に、上記カム溝１と係合する外側縁が外方に突出する方向に付勢されたロッキングバー６とを有している。
【０００３】
また、仕切板の間の各スロット７に、夫々全体の形状が略Ｃ字形で一端部を揺動自在に軸支され、鍵孔に挿入された鍵の側端縁と干渉する方向に付勢されると共に、常態では内筒を軸線方向に貫通するバックアップピン８に係止され、かつ自由端部外側端縁にロッキングバー６の内側縁を受入れる解錠切欠９を形成したレバータンブラー１１が挿設されている。
【０００４】
そして、これらのタンブラー群の夫々が鍵孔に挿通された合鍵の対応する鍵溝と係合したとき、各レバータンブラー１１の解錠切欠９がロッキングバー６の内側縁と整合する（図示せず）ように構成されている。
【０００５】
したがって、合鍵を鍵孔４に挿入して内筒５を外筒２内で相対的に回動させると、カム溝１とロッキングバー６との間に生じる楔作用による、ロッキングバー６の内筒中心軸方向への移動が可能になり、換言すればレバータンブラー錠は解錠状態となって内筒５は解錠方向に回動する。
【０００６】
なお、図１及び図２において、符号１２はレバータンブラー１１、１１の一端を共通に貫通してこれらを回動自在に支承する支軸を示す。
【０００７】
また、シリンダ錠の他の形式のものであり、本出願人が後記特許文献１によって提案したロータリーディスクタンブラー錠は、図３に示すように、中央部に鍵孔を包囲し得る大きさの鍵挿通孔１３を形成した環状のロータリーディスクタンブラー１４を挿設し、その実体部の１ヵ所を、内筒を軸線方向に貫通する支軸１２に揺動可能に軸支すると共に、自由端部外側端縁に解錠切欠９を形成し、一方、鍵挿通孔の開口端縁に、先端の移動軌跡が鍵孔４に挿入された合鍵１５のブレードの平面部又は端縁部と干渉する係合突起１６を一体に突設し、各ロータリーディスクタンブラー１４をこの係合突起が合鍵に近接する方向に付勢している。
【０００８】
そして、常態ではロータリーディスクタンブラー１４を内筒を軸線方向に貫通するバックアップピン８に係止し、他方、これらのタンブラー群の係合突起の夫々が鍵孔に挿通された合鍵のブレードに形成された対応する窪み１７と係合したとき、各ロータリーディスクタンブラーの解錠切欠がロッキングバーの内側縁と整合するようにしたものである。
【０００９】
なお、図３において符号１８は係合突起１６を合鍵方向に付勢する板ばねである。
【００１０】
上記した構成のレバータンブラー錠及びロータリーディスクタンブラー錠は、作動の確実性及び使用感が優れていることから、住戸の錠前の主流になりつつある。
【００１１】
しかしながら、近年、後記特許文献２に記載された鍵の複製用具が提案され、かつ市販されている如くである。
【００１２】
この鍵の複製用具は、本出願人の製造販売に係る上記レバータンブラー錠用の鍵の複製用具であり、また、ロータリーディスクタンブラー錠にも適用可能である。
【００１３】
そして、この複製用具を用いると、鍵を紛失したり鍵を室内に置き忘れたまま施錠した場合に簡単に鍵の複製ができる、という効果をうたってはいるが、これを犯罪者が手にすれば、不正解錠が容易になる、換言すれば公序良俗に反する器具になる。
【特許文献１】特開２００３−２２６８３３公報
【特許文献２】登録実用新案第３０６３９９０号公報
【発明の開示】
【発明が解決しようとする課題】
【００１４】
そこで、この発明は、上記特許文献２に記載の鍵の複製用具によって鍵違いを探られないようにしたシリンダ錠を提供し、以てシリンダ錠の安全性を高めることを目的としている。
【課題を解決するための手段】
【００１５】
上記の目的を達成するため、請求項１に記載の発明は、内周面の母線に沿ってカム溝を形成した外筒と、この外筒に回転自在に嵌合し、中心軸線に沿って鍵孔を貫通させると共に、複数の仕切板を所定の間隔を保って列設した内筒と、この内筒の母線に沿って延在し、内筒の外周部において半径方向に移動可能に案内されると共に、上記カム溝と係合する外側縁が外方に突出する方向に付勢されたロッキングバーとを有し、上記仕切板の間の各スロットに、夫々全体の形状が略Ｃ字形で一端部を支軸に揺動自在に軸支され、鍵孔に挿入された合鍵の側端縁と干渉する方向に付勢されると共に、常態では内筒を軸線方向に貫通するバックアップピンに係止され、かつ自由端部外側端縁にロッキングバーの内側縁を受入れる解錠切欠を形成したレバータンブラーの複数を鍵孔に沿って設け、これらのタンブラー群の夫々が鍵孔に挿通された合鍵の対応する鍵溝と係合したとき、各レバータンブラーの解錠切欠がロッキングバーの内側縁と整合するようにしたものにおいて、少なくとも１個の仕切板の、レバータンブラーの自由端部と重合する部分から外周縁にかけてを切欠いたことを特徴とする。
【００１６】
また、請求項２に記載の発明は、内周面の母線に沿ってカム溝を形成した外筒と、この外筒に回転自在に嵌合し、中心軸線に沿って鍵孔を貫通させると共に、複数の仕切板を所定の間隔を保って列設した内筒と、この内筒の母線に沿って延在し、内筒の外周部において半径方向に移動可能に案内されると共に、上記カム溝と係合する外側縁が外方に突出する方向に付勢されたロッキングバーとを有し、上記仕切板の間の各スロットに、中央部に鍵孔を包囲し得る大きさの鍵挿通孔を形成した環状のロータリーディスクタンブラーを挿設し、その実体部の１ヵ所を、内筒を軸線方向に貫通する支軸に揺動可能に軸支すると共に、自由端部外側端縁に解錠切欠を形成し、一方、鍵挿通孔の開口端縁に、先端の移動軌跡が鍵孔に挿入された合鍵のブレードの平面部又は端縁部と干渉する係合突起を一体に突設し、各ロータリーディスクタンブラーをこの係合突起が合鍵に近接する方向に付勢すると共に、常態では内筒を軸線方向に貫通するバックアップピンに係止し、他方、これらのタンブラー群の係合突起の夫々が鍵孔に挿通された合鍵のブレードに形成された対応する窪みと係合したとき、各ロータリーディスクタンブラーの解錠切欠がロッキングバーの内側縁と整合するようにしたものにおいて、少なくとも１個の仕切板の、レバータンブラーの自由端部と重合する部分から外周縁にかけてを切欠いたことを特徴とする。
【発明の効果】
【００１７】
上記のように構成された請求項１又は２に記載の発明によるシリンダ錠は、鍵孔から薄平の細線を入れ、この細線を仕切板とレバータンブラー、或いはロータリーディスクタンブラーとの隙間からタンブラーの自由端側に差込み、その解錠切欠の角度位置を探る上記特許文献２に記載の鍵の複製用具を使用する際、当該鍵の複製用具の作動原理上必須である、仕切板とレバータンブラー或いはロータリーディスクタンブラーとの隙間が無くなってしまうので、センサーである偏平な細線がタンブラーから離間し、したがって解錠切欠を探ることができない。
【発明を実施するための最良の形態】
【００１８】
少なくとも１個の仕切板の、レバータンブラー或いはロータリーディスクタンブラーの自由端部と重合する部分から外周縁にかけての部分を切欠いたので、鍵の複製用具のセンサーとしての薄平の細線がタンブラーから離間してしまい、解錠切欠の角度位置の検知を不可能にし、また、その実施も容易である。
【実施例１】
【００１９】
図４及び図５において符号３は仕切板を示し、この仕切板５のレバータンブラー１１の自由端部と重合する部分から外周縁にかけての部分が切欠かれている。
【００２０】
具体的には、図５に示すように、バックアップピン８の中心軸をやや上方を通る水平線から下方の部分が切欠かれている。
【００２１】
なお、図５から明らかなように、仕切板３のバックアップピン８と嵌合する部分はリング状の部分が残されている。これは、仕切板３の強度を保持するためである。
【００２２】
上記のように構成された請求項１に記載の発明の一実施例によるシリンダ錠は、図４及び図６に示すように先端をＬ字形に曲げた細いパイプ１９を鍵孔４内に差込み、パイプ１９を通して薄平の細線（以下センサーという）を仕切板３に押圧するようにして繰り出し、次いでパイプ１９を回して細線をタンブラーと仕切板との間に隙間に差し込むと共に解錠切欠９の位置を検知しようとしても、本発明においてはセンサーをタンブラー方向に押し曲げる仕切板３の部分が切り欠かれているので、センサーはその弾性によりタンブラーから離間し、結局解錠切欠の角度位置を検知することができない。
【００２３】
したがって、少なくとも１つのタンブラーの解錠切欠の位置を知ることが不可能であるから、完全な合鍵を得ることができない。なお、ここで合鍵とはスペアキーをいうものとする。
【００２４】
なお、全ての仕切板３を上記したように切り欠く必要は無い。それは、解錠切欠９の角度位置が一つのタンブラーにおいて不明ならば合鍵を完成することができないからである。
【実施例２】
【００２５】
また、図３に示すロータリーディスクタンブラー錠においても、仕切板３を前記したように切り欠くことができ、更に、そうしたときのロータリーディスクタンブラー錠の機能、効果は図４に示すものと同様であることは明らかであるから、更に詳細な説明及び図示を省略する。
【図面の簡単な説明】
【００２６】
【図１】レバータンブラー錠の縦断面図。
【図２】レバータンブラー錠の横断面図。
【図３】ロータリーディスクタンブラー錠の横断面図。
【図４】請求項１に記載の発明の要部を示すレバータンブラー錠の横断面図。
【図５】一部を切り欠かれた仕切板の正面図。
【図６】レバータンブラー錠の一部拡大従断面図。
【符号の説明】
【００２７】
１  カム溝
２  外筒
３  仕切板
４  鍵孔
５  内筒
６  ロッキングバー
７  スロット
８  バックアップピン
９  解錠切欠
１１  レバータンブラー
１２  支軸
１３  鍵挿通孔
１４  ロータリーディスクタンブラー
１５  合鍵
１６  係合突起
１７  窪み
１９  パイプ
【図１】
2005213943.tif 000003
【図２】
2005213943.tif 000004
【図３】
2005213943.tif 000005
【図４】
2005213943.tif 000006
【図５】
2005213943.tif 000007
【図６】
2005213943.tif 000008